(57)【要約】【課題】マスク等に付着したウイルスを効果的に不活性化もしくは死滅させる空気清浄機、を提供する。【解決手段】空気清浄機１００は、プラスイオンＨ＋（Ｈ２Ｏ）ｎ（ｎは０を含む任意の整数)およびマイナスイオンＯ２−（Ｈ２Ｏ）ｍ（ｍは０を含む任意の整数）を発生するイオン発生装置を備え、イオンにより空気中のウイルスを不活性化もしくは死滅させる機能を有する。空気清浄機１００は、本体部１０と、ハンガー部６０とを備える。本体部１０には、イオン発生装置で発生したイオンを外部空間に向けて吹き出す吹き出し口１４が形成される。ハンガー部６０は、吹き出し口１４の近傍に位置決めされる。【選択図】図１
2011010991.tif 000002
【特許請求の範囲】
【請求項１】
プラスイオンＨ＋（Ｈ２Ｏ）ｎ（ｎは０を含む任意の整数)およびマイナスイオンＯ２−（Ｈ２Ｏ）ｍ（ｍは０を含む任意の整数）を発生するイオン発生装置を備え、イオンにより空気中のウイルスを不活性化もしくは死滅させる機能を有する空気清浄機であって、
前記イオン発生装置で発生したイオンを外部空間に向けて吹き出す吹き出し口が形成される本体部と、
前記吹き出し口の近傍に位置決めされるハンガー部とを備える、空気清浄機。
【請求項２】
前記ハンガー部は、前記吹き出し口の近傍に位置決めされた使用状態を選択的に取るように、可動式に設けられ、さらに、
前記ハンガー部が使用状態にあることを検知する検知部と、
前記検知部により前記ハンガー部が使用状態にあることが検知された時に、前記イオン発生装置を作動させる制御部とを備える、請求項１に記載の空気清浄機。
【請求項３】
前記ハンガー部は、前記吹き出し口の近傍に位置決めされた使用状態を選択的に取るように、可動式に設けられ、さらに、
前記ハンガー部が使用状態にあることを検知する検知部と、
タイマー機能を有し、予め設定された時間の経過を知らせるアラーム部と、
前記検知部により前記ハンガー部が使用状態にあることが検知された時に、前記アラーム部のタイマー機能を作動させる制御部とを備える、請求項１または２に記載の空気清浄機。
【請求項４】
前記ハンガー部は、マスクを吊り下げることが可能な棒状部材から形成される、請求項１から３のいずれか１項に記載の空気清浄機。
【請求項５】
前記ハンガー部は、イオンの吹き出し方向において前記吹き出し口の延長上に配置される、請求項１から４のいずれか１項に記載の空気清浄機。
【発明の詳細な説明】
【技術分野】
【０００１】
この発明は、一般的には、空気清浄機に関し、より特定的には、イオン発生装置を備える空気清浄機に関する。
【背景技術】
【０００２】
従来の空気清浄機に関して、たとえば、特開２００２−６５８３６号公報には、比較的小さい交流電圧の印加で安定した減菌効果が得られ、かつ、空気清浄もしくは空気調和を可能とする空気清浄機が開示されている（特許文献１）。特許文献１に開示された空気清浄機は、絶縁体を挟んで対向する一対の電極を有し、一対の電極間に交流電圧を印加することによって正イオンと負イオンとを発生させるイオン発生装置を備える。
【０００３】
また、下記の非特許文献１には、プラズマ放電によって生成したプラスイオンとマイナスイオンとを用いて、ぜんそくやアトピーの主要原因であるダニアレルゲンを空中で分解、除去する技術が開示されている。
【先行技術文献】
【特許文献】
【０００４】
【特許文献１】特開２００２−６５８３６号公報
【非特許文献】
【０００５】
【非特許文献１】“プラズマクラスターイオン（商標登録）技術に関するニュースリリース”、［online］、２００３年９月３日、シャープ株式会社、［２００９年６月１１日検索］、インターネット〈ＵＲＬ：http://www.sharp.co.jp/plasmacluster-tech/release/030903.html〉
【発明の概要】
【発明が解決しようとする課題】
【０００６】
上述の特許文献１には、室内の空気を吸い込み、ＨＥＰＡフィルタ（High Efficiency Particulate Air Filter）により除塵、除菌する空気清浄機が開示されている。この空気清浄機は、さらに本体内のイオン発生装置によって、プラスイオンＨ＋（Ｈ２Ｏ）ｎ（ｎは０を含む任意の整数)およびマイナスイオンＯ２−（Ｈ２Ｏ）ｍ（ｍは０を含む任意の整数）を発生し、これらのイオンを室内に放出することによって、空気中のウイルスを不活性化もしくは死滅させる機能を有する。この際、イオン濃度が高ければ高いほど、殺菌等の効果が高くなる。
【０００７】
一方、新種のウイルスが発生し、広く世界中に伝染し始めると、人々が外出時にウイルスの伝染予防としてマスクを使用する場合が想定される。しかしながら、全日本、全世界の人々が同時にマスクを使用すると、市中でマスクが入手できずパニックとなるおそれがある。そこで、使用後のマスク等を再利用するため、マスク等に付着したウイルスを効果的に不活性化もしくは死滅させる手段が求められている。
【０００８】
そこでこの発明の目的は、上記の課題を解決することであり、マスク等に付着したウイルスを効果的に不活性化もしくは死滅させる空気清浄機を提供することである。
【課題を解決するための手段】
【０００９】
この発明に従った空気清浄機は、プラスイオンＨ＋（Ｈ２Ｏ）ｎ（ｎは０を含む任意の整数)およびマイナスイオンＯ２−（Ｈ２Ｏ）ｍ（ｍは０を含む任意の整数）を発生するイオン発生装置を備え、イオンにより空気中のウイルスを不活性化もしくは死滅させる機能を有する空気清浄機である。空気清浄機は、本体部と、ハンガー部とを備える。本体部には、イオン発生装置で発生したイオンを外部空間に向けて吹き出す吹き出し口が形成される。ハンガー部は、吹き出し口の近傍に位置決めされる。
【００１０】
このように構成された空気清浄機によれば、イオンを吹き出す吹き出し口の近傍に、使用後のマスク等を架けるためのハンガー部を設ける。これにより、イオンをマスク等に吹き付け、マスク等に付着したウイルスを効果的に不活性化もしくは死滅させることができる。
【００１１】
また好ましくは、ハンガー部は、吹き出し口の近傍に位置決めされた使用状態を選択的に取るように、可動式に設けられる。空気清浄機は、さらに、ハンガー部が使用状態にあることを検知する検知部と、検知部によりハンガー部が使用状態にあることが検知された時に、イオン発生装置を作動させる制御部とを備える。
【００１２】
このように構成された空気清浄機によれば、ハンガー部が使用状態を取るのに伴って、イオン発生装置を自動的に作動させる。これにより、ハンガー部の使用時において、イオン発生装置の不作動を確実に回避できる。
【００１３】
また好ましくは、ハンガー部は、吹き出し口の近傍に位置決めされた使用状態を選択的に取るように、可動式に設けられる。空気清浄機は、さらに、ハンガー部が使用状態にあることを検知する検知部と、タイマー機能を有し、予め設定された時間の経過を知らせるアラーム部と、検知部によりハンガー部が使用状態にあることが検知された時に、アラーム部のタイマー機能を作動させる制御部とを備える。
【００１４】
このように構成された空気清浄機によれば、ハンガー部が使用状態を取るのに伴って、アラーム部のタイマー機能を自動的に作動させる。これにより、ユーザは、特定の操作を行なうことなく、除菌終了のタイミングをアラーム部によって知ることができる。
【００１５】
また好ましくは、ハンガー部は、マスクを吊り下げることが可能な棒状部材から形成される。このように構成された空気清浄機によれば、マスクをハンガー部に吊り下げることによって、マスクに付着したウイルスを効果的に不活性化もしくは死滅させることができる。
【００１６】
また好ましくは、ハンガー部は、イオンの吹き出し方向において吹き出し口の延長上に配置される。このように構成された空気清浄機によれば、ハンガー部に架けられたマスク等に対して、イオンをより確実に吹き付けることができる。
【発明の効果】
【００１７】
以上に説明したように、この発明に従えば、マスク等に付着したウイルスを効果的に不活性化もしくは死滅させる空気清浄機を提供することができる。
【図面の簡単な説明】
【００１８】
【図１】この発明の実施の形態１における空気清浄機を示す斜視図である。
【図２】図１中の空気清浄機の内部構造を示す断面図である。
【図３】図１中の空気清浄機に設けられたイオン発生装置を示す図である。
【図４】図１中の空気清浄機を背面側から見た斜視図であり、ハンガー部の使用状態を示す図である。
【図５】図１中の空気清浄機を背面側から見た斜視図であり、ハンガー部の収納状態を示す図である。
【図６】図５中のＶＩ−ＶＩ線上に沿った空気清浄機を示す断面図である。
【図７】図１中の空気清浄機に設けられた制御系を示すブロック図である。
【図８】図１中の空気清浄機が備えるイオンＳＷの自動ＯＮ機能を説明するためのフローチャート図である。
【図９】図１中の空気清浄機が備えるタイマーＳＷの自動ＯＮ機能を説明するためのフローチャート図である。
【発明を実施するための形態】
【００１９】
この発明の実施の形態について、図面を参照して説明する。なお、以下で参照する図面では、同一またはそれに相当する部材には、同じ番号が付されている。
【００２０】
（実施の形態１）
図１は、この発明の実施の形態１における空気清浄機を示す斜視図である。図１を参照して、本実施の形態における空気清浄機１００は、イオン発生装置が設けられるとともに、空気を清浄する機能を有する本体部１０と、本体部１０に付属して設けられ、使用済みのマスク等の除菌を行なうために設けられるハンガー部６０とを有する。
【００２１】
図２は、図１中の空気清浄機の内部構造を示す断面図である。図１および図２を参照して、まず、空気清浄機１００の本体部１０の構造について説明すると、本体部１０は、その主要な構成として、ハウジング１１と、送風機３１と、ダクト２６と、（ＨＥＰＡ）フィルタ１８と、イオン発生装置４０および４６とを有する。
【００２２】
ハウジング１１は、後壁１１ａと、天壁１１ｂと、底壁１１ｃと、前壁１１ｄとを含む、略直方体の筐体形状を有する。底壁１１ｃは、空気清浄機１００の設置場所に置かれるハウジング１１の底部分であり、平面的に見た場合に略矩形形状を有する。天壁１１ｂは、底壁１１ｃと対向して配置され、鉛直上方向に面して形成されている。後壁１１ａおよび前壁１１ｄは、互いに対向して配置され、天壁１１ｂと底壁１１ｃとの間で延在する。一般的に、空気清浄機１００は、後壁１１ａを室内の壁に対向させるようにして壁際に設置される。
【００２３】
ハウジング１１には、空気清浄機１００が設置された室内の空気を吸い込むための吸い込み口１６が形成されている。吸い込み口１６は、後壁１１ａに形成されている。吸い込み口１６は、長手方向と上下方向とが一致する矩形形状を有する複数の開口が平面的に配列されて形成されている。
【００２４】
ハウジング１１には、さらに、清浄空気を室内に向けて放出する吹き出し口１４が形成されている。吹き出し口１４は、天壁１１ｂに形成されている。本実施の形態では、吹き出し口１４が、後壁１１ａおよび前壁１１ｄが対向する方向と、短手方向とが一致する略矩形形状の開口から形成されている。
【００２５】
なお、吹き出し口１４の開口形状は、上記矩形に限られず、たとえば、円形であってもよいし、複数のスリット形状であってもよい。また、吹き出し口１４を形成する位置は、天壁１１ｂに限られず、たとえば前壁１１ｄであってもよい。
【００２６】
フィルタ１８は、ハウジング１１の内部において、吸い込み口１６と向い合って配置されている。吸い込み口１６を通じてハウジング１１内部に導入された空気は、フィルタ１８を通過することによって、異物が除去され、清浄空気とされる。
【００２７】
送風機３１は、室内の空気をハウジング１１内部に吸引するとともに、フィルタ１８により清浄された空気を、吹き出し口１４を通じて室内に送り出すために設けられている。その構造について詳細に説明すると、送風機３１は、円筒形状をなし、回転軸が前壁１１ｄと後壁１１ａとが対向する前後方向となるように配置される羽根車３６と、羽根車３６を回転自在に収容するケーシング３２とを有する遠心形ファン（シロッコファン）である。
【００２８】
羽根車３６は、フィルタ１８に対して後壁１１ａの反対側に配置されている。羽根車３６は、外縁に対して回転中心側が回転方向に変位する複数の羽根３６ｆを有する多翼羽根車である。羽根車３６は、その一端に軸受板を有し、軸受板の中心に開設されている軸孔には、ファン駆動用のモータ２８の出力軸が取り付けられている。モータ２８の駆動に伴って、羽根車３６は、その他端の開口から中心部の空洞部に空気を吸い込み、さらに、その空気を外周部の羽根３６ｆの間から放出するように構成されている。
【００２９】
ケーシング３２は、円弧形の誘導壁３２ａと、吹き出し部３２ｂとを含んで形成されている。誘導壁３２ａは、羽根車３６の回転により発生する気流を羽根車３６の回転方向に誘導しつつ、気流の速度を増大させる。吹き出し部３２ｂは、誘導壁３２ａの一部から誘導壁３２ａの接線方向の一方に上向きに開放されて形成されている。吹き出し部３２ｂは、誘導壁３２ａの一部から誘導壁３２ａの接線方向の一方に突出する角筒形状をなしている。
【００３０】
ケーシング３２は、ケーシング本体３３と、蓋板３４とが組み合わさって構成されている。ケーシング本体３３は、深皿形をなし、誘導壁３２ａおよび吹き出し部３２ｂ用の開放部を形成する。蓋板３４は、ケーシング本体３３の開放側を閉塞するように設けられている。蓋板３４は、複数本の雄螺子を用いてケーシング本体３３に取り付けられている。本実施の形態における空気清浄機１００においては、ケーシング３２の誘導壁３２ａに、１つ目のイオン発生装置４０が取り付けられている。
【００３１】
ダクト２６は、送風機３１の上方に設けられ、清浄空気をケーシング３２から吹き出し口１４に導く導風路として設けられている。ダクト２６は、その下端が吹き出し部３２ｂに連なり、その上端が開放された角筒形をなす形状を有し、ケーシング本体３３および蓋板３４と一体に成形されている。ダクト２６は、吹き出し部３２ｂから吹き出された清浄空気を、吹き出し口１４に向けて層流に誘導するように構成されている。
【００３２】
ダクト２６は、ハウジング１１の前壁１１ｄと向い合って配置される前壁２６ｄを有する。本実施の形態における空気清浄機１００においては、ダクト２６の前壁２６ｄに、２つ目のイオン発生装置４６が取り付けられている。
【００３３】
図３は、図１中の空気清浄機に設けられたイオン発生装置を示す図である。図３を参照して、イオン発生装置４０，４６は、３つのイオン発生器４１ｐ，４１ｑ，４１ｒ（以下、特に区別しない場合は、イオン発生器４１という）と、イオン発生器４１を保持するための保持体４４とを有する。
【００３４】
イオン発生器４１には、２つのイオン発生部４２ｍ，４２ｎが併設されている。イオン発生部４２ｍ，４２ｎは、送風機３１によって送風される清浄空気の通流方向（以下、単に通流方向という）に略直角に交差する方向に離間して配置された円形の開口４３を有する。イオン発生部４２ｍ，４２ｎは、開口４３の内奥側に尖鋭状をなす放電電極と、その放電電極を囲繞する対向電極とを有する。
【００３５】
このような構成において、一方のイオン発生部４２ｍがプラスイオンを、他方のイオン発生部４２ｎがマイナスイオンを、開口４３が配置された側に発生させる。３つのイオン発生器４１ｐ，４１ｑ，４１ｒは、各イオン発生器に設けられたイオン発生部４２ｍ，４２ｎがケーシング３２の内部に臨むように設けられている。
【００３６】
ケーシング３２に対する保持体４４の取り付け面は、通流方向に沿って湾曲する湾曲面から形成され、その湾曲面にイオン発生器４１が配設されている。イオン発生器４１は、イオン発生器４１が配設された位置における上述の湾曲面の接線が、開口４３の開口面と略平行となるように設けられている。
【００３７】
イオン発生器４１ｐ，４１ｑ，４１ｒは、通流方向に離間して配置され、かつ、通流方向と略直角に交差する方向（すなわち、イオン発生部４２ｍ，４２ｎの並設方向であり、以下、単に併設方向という）に偏倚して配置されている。各イオン発生器４１のイオン発生部４２ｍ，４２ｎは、偏倚方向におけるプラス・マイナスの向きを同一とし、かつ、通流方向において重なり合わない位置に配置されている。換言すれば、図３中の距離Ｌ１、Ｌ２は、０以上となる。このような構成により、イオン発生部４２ｍ，４２ｎに沿って通流する気流同士に重なりが生じるということがなくなる。
【００３８】
また、各イオン発生器４１の偏倚量は、並設方向における開口４３の長さ以上である。換言すれば、図３中の偏倚量Ｌ４は、開口４３の開口長Ｌ３以上となる。このような構成により、各開口４３に沿って通流する気流同士に重なりが生じるということがなくなる。
【００３９】
また、イオン発生器４１の偏倚量の総和は、イオン発生部４２ｍ，４２ｎが離間する距離以下である。換言すれば、図３中の偏倚量Ｌ５，Ｌ６の和は、イオン発生部４２ｍ，４２ｎが離間する距離以下である。このような構成により、イオン発生器４１ｐ，４１ｑ，４１ｒのイオン発生部４２ｍに沿って通流する気流と、イオン発生器４１ｐ，４１ｑ，４１ｒのイオン発生部４２ｎに沿って通流する気流とが、並設方向の両側に分離される。
【００４０】
このような構成を備える空気清浄機１００においては、送風機３１の駆動により、羽根車３６が回転し、室内の空気が吸い込み口１６からハウジング１１内に吸い込まれる。このとき、吸い込み口１６および吹き出し口１４間に空気流れが発生し、吸い込まれた空気に含まれる塵埃等の異物は、フィルタ１８により除去される。
【００４１】
フィルタ１８を通過して得られた清浄空気は、ケーシング３２内部に吸い込まれる。この際、ケーシング３２内に吸い込まれた清浄空気は、羽根車３６周りの誘導壁３２ａによって層流となる。層流とされた空気は、誘導壁３２ａに沿って吹き出し部３２ｂに誘導され、吹き出し部３２ｂからダクト２６内に送風される。
【００４２】
本実施の形態における空気清浄機１００においては、ケーシング３２の誘導壁３２ａにイオン発生装置４０が設けられている。このため、イオン発生装置４０が、誘導壁３２ａに沿って流通する清浄空気中にプラスイオンおよびマイナスイオンを発生させる。さらに、吹き出し口１４に向けて清浄空気を層流に誘導するダクト２６の前壁２６ｄには、イオン発生装置４６が設けられている。このため、ケーシング３２において発生したプラスイオンおよびマイナスイオンに加えて、さらに、イオン発生装置４６がプラスイオンおよびマイナスイオンの量を増大させる。イオン発生装置４０およびイオン発生装置４６により発生したプラスイオンおよびマイナスイオンは、送風機３１が送風する清浄空気とともに吹き出し口１４から外部空間に向けて放出される。
【００４３】
続いて、本実施の形態における空気清浄機１００が備えるハンガー部６０の構造について詳細に説明する。
【００４４】
図４は、図１中の空気清浄機を背面側から見た斜視図であり、ハンガー部の使用状態を示す図である。図５は、図１中の空気清浄機を背面側から見た斜視図であり、ハンガー部の収納状態を示す図である。
【００４５】
図４および図５を参照して、ハンガー部６０は、空気の清浄機能を発揮する本体部１０とは別部材として設けられ、本体部１０に収納可能に接続されている。ハンガー部６０には、吹き出し口１４から放出されるプラスイオンおよびマイナスイオンを利用した除菌を行なうため、使用後のマスク等が架けられる。
【００４６】
ハンガー部６０は、マスク等を吊り下げ可能な形状を有する。本実施の形態では、ハンガー部６０が、マスク等を吊り下げ可能な棒部材から形成されている。
【００４７】
ハンガー部６０は、ハウジング１１の外側の外部空間において、吹き出し口１４の近傍に位置決めされている。ハンガー部６０は、吹き出し口１４が形成されたハウジング１１の天壁１１ｂに接続されている。ハンガー部６０は、イオン発生装置４０およびイオン発生装置４６により発生したプラスイオンおよびマイナスイオンの吹き出し方向において、吹き出し口１４の延長上に位置決めされている。
【００４８】
ハンガー部６０の構造についてより具体的に説明すると、ハンガー部６０は、ハンガー本体部としての枠部６１と、接続部としての脚部６２とを含んで形成されている。
【００４９】
枠部６１は、吹き出し口１４の直上において環状に周回するように形成されている。枠部６１には、使用後のマスク等が架けられる。脚部６２は、枠部６１から本体部１０に向けて延伸し、天壁１１ｂに接続されている。枠部６１は、脚部６２によって吹き出し口１４の直上に支持されている。ハンガー部６０は、天壁１１ｂを平面的に見た場合に、吹き出し口１４が枠部６１の内側に収まるように設けられている。
【００５０】
図６は、図５中のＶＩ−ＶＩ線上に沿った空気清浄機を示す断面図である。図４から図６を参照して、ハンガー部６０は、吹き出し口１４の近傍に位置決めされ、マスク等の除菌を行なう際の使用状態と、ハンガー部６０を使用していない時の未使用状態とを選択的に取るように、本体部１０に対して可動式に設けられている。本実施の形態では、ハンガー部６０は、上記の未使用状態時に、本体部１０に対して収納される収納状態を取る。
【００５１】
より具体的には、ハウジング１１には、天壁１１ｂを貫通する挿入孔７２が形成されている。脚部６２は、挿入孔７２に対して、脚部６２の延伸方向にスライド自在に挿入されている。ハウジング１１には、溝部７１がさらに形成されている。溝部７１は、天壁１１ｂから凹み、枠部６１の形状に合わせて環状に周回して形成されている。
【００５２】
脚部６２をハウジング１１から引き出した位置にスライド移動させることによって、ハンガー部６０が使用状態にセッティングされる。また、脚部６２をハウジング１１内に収めた位置にスライド移動させることにより、ハンガー部６０が未使用時の収納状態を取る。この際、枠部６１が溝部７１に配置されることにより、枠部６１を天壁１１ｂ上に突出させることなく、ハンガー部６０を本体部１０に収納することができる。
【００５３】
なお、枠部６１に架けたマスク等を、吹き出し口１４から放出される清浄空気の風路上に精度よく位置決めするために、吹き出し口１４に対して枠部６１の位置調整が可能なようにハンガー部６０が構成されてもよい。そのような構造として、たとえば、本体部１０に対するスライド位置が任意に調整可能となるように脚部６２を構成してもよい。また、脚部６２の途中に折れ曲がり可能な屈曲部を設け、脚部６２の屈曲に伴って枠部６１の位置調整を行なう構造としてもよい。
【００５４】
また、ハンガー部６０の形状は、上記に説明した棒状に限られず、マスク等を架けることが可能な部材であればよい。たとえば、マスク等が架けられる部分が紐から形成されてもよいし、マスク等を挟むためのクリップなどが設けられてもよい。また、ハンガー部６０が設けられる位置は、吹き出し口１４の位置によって適宜変更され、たとえば、吹き出し口１４がハウジング１１の前壁１１ｄに形成される場合は、ハンガー部６０を前壁１１ｄの前方に配置するのが好ましい。ハンガー部６０は、本体部１０から取り外し可能に設けられてもよい。
【００５５】
また、ハンガー部６０に架けられるものは、マスクに限られず、たとえばガーゼなど、除菌が必要となるものであればよい。
【００５６】
次に、ハンガー部６０の使用時における空気清浄機の動作について説明する。
図１中に示す操作部１２の運転ＳＷ（スイッチ）をＯＮにすると、本体部１０の羽根車３６が回転し始める。このとき、操作部１２のイオンＳＷがＯＮになっていると、フィルタ１８によって除塵、除菌された清浄空気が、イオン発生装置４０およびイオン発生装置４６により高濃度のプラスイオンおよびマイナスイオンが付加された状態で、吹き出し口１４から室内に放出される。
【００５７】
この際、使用後のマスク等を、ハウジング１１から引き出したハンガー部６０に架け、吹き出し口１４から供給される清浄空気の風路上に位置決めする。これにより、高濃度のプラスイオンおよびマイナスイオンが付加された清浄空気をマスク等に当て、マスク等に付着したウイルスを不活性化もしくは死滅させる。結果、一度使用したマスク等を除菌し、再使用することができる。
【００５８】
以上に説明した、この発明の実施の形態１における空気清浄機１００の構造についてまとめて説明すると、本実施の形態における空気清浄機１００は、プラスイオンＨ＋（Ｈ２Ｏ）ｎ（ｎは０を含む任意の整数)およびマイナスイオンＯ２−（Ｈ２Ｏ）ｍ（ｍは０を含む任意の整数）を発生するイオン発生装置４０，４６を備え、イオンにより空気中のウイルスを不活性化もしくは死滅させる機能を有する。空気清浄機１００は、本体部１０と、ハンガー部６０とを備える。本体部１０には、イオン発生装置４０，４６で発生したイオンを外部空間に向けて吹き出す吹き出し口１４が形成される。ハンガー部６０は、吹き出し口１４の近傍に位置決めされる。
【００５９】
このように構成された、この発明の実施の形態１における空気清浄機１００によれば、マスク等を架けるためのハンガー部６０を設けることによって、高濃度のプラスイオンおよびマイナスイオンが付加された空気を用いて、マスク等に付着したウイルスを不活性化もしくは死滅させることができる。これにより、一度使用したマスク等を再使用することが可能となり、世界中で同時発生したウイルス等により、マスクが入手困難となった場合等に有効となる。
【００６０】
なお、本発明は、空気清浄機に適用されるものであるが、空気の吹き出し口よりプラスイオンおよびマイナスイオンが付加された空気が供給される電気機器、たとえば、エアーコンディショナや、除湿器、加湿器などにも本発明を応用可能である。
【００６１】
（実施の形態２）
本実施の形態では、実施の形態１における空気清浄機１００に設けられる付加的な機能について説明する。
【００６２】
図７は、図１中の空気清浄機に設けられた制御系を示すブロック図である。図７を参照して、空気清浄機１００は、操作部１２に入力された操作に応じて、ファン駆動用のモータ２８およびイオン発生装置４０，４６の動作を制御したり、運転状況に合わせて表示部８１の表示を決定したりする制御部７７を有する。
【００６３】
空気清浄機１００は、ハンガー部６０が使用状態にあることを検知するためのハンガーＳＷ７６をさらに有する。図６中に示すように、本実施の形態では、ハンガー部６０の収納時に枠部６１が配置される溝部７６に、枠部６１の近接を検知可能なハンガーＳＷ７６が設けられている。制御部７７は、ハンガーＳＷ７６が枠部６１の近接を検知した時に、ハンガー部６０が収納状態にあると判断し、ハンガーＳＷ７６が枠部６１の近接を検知しない時に、ハンガー部６０が使用状態にあると判断する。
【００６４】
空気清浄機１００は、タイマー機能を有し、予め設定された時間の経過を知らせるためのアラーム部８４を有する。アラーム部８４は、タイマー機能を発揮するタイマー（計時）部８２と、タイマー部８２と連動して、時間経過をユーザに知らせる報知部８３とから構成されている。
【００６５】
図８は、図１中の空気清浄機が備えるイオンＳＷの自動ＯＮ機能を説明するためのフローチャート図である。図７および図８を参照して、図１中の空気清浄機１００がイオンＳＷの自動ＯＮ機能を備える場合の制御流れについて説明する。
【００６６】
操作部１２の運転ＳＷがＯＮにされると、制御部７７は、本体部１０の羽根車３６を回転させるため、ファン駆動用のモータ２８を作動させる。次に、操作部１２のイオンＳＷがＯＮにされていると、制御部７７は、イオン発生装置４０，４６を作動させる。一方、操作部１２のイオンＳＷがＯＦＦにされている場合であっても、制御部７７は、ハンガーＳＷ７６が枠部６１の近接を検知せず、ハンガー部６０が使用状態にあると判断した場合に、イオン発生装置４０，４６を作動させる。
【００６７】
ユーザが予め時間を入力し、操作部１２のタイマーＳＷをＯＮにすることによって、タイマー部８２が作動する。制御部７７は、タイマー部８２からの信号を受けて設定時間が修了したと判断したら、報知部８３を作動させるとともに、モータ２８およびイオン発生装置４０，４６の運転を停止させる。一方、ユーザがタイマーＳＷをＯＦＦにしている場合は、制御部７７は、ユーザによる操作ＳＷの操作を待って、モータ２８およびイオン発生装置４０，４６の運転を停止させる。
【００６８】
空気清浄機１００がこのようなイオンＳＷの自動ＯＮ機能を有する場合、本体部１０からハンガー部６０を引き出した際に本体部１０側でイオンＳＷが押されていなくても、自動的にイオン発生装置４０，４６を作動させることができる。これにより、ハンガー部６０にマスクを架けていたのに除菌がされていなかったという不都合を避けることができる。
【００６９】
図９は、図１中の空気清浄機が備えるタイマーＳＷの自動ＯＮ機能を説明するためのフローチャート図である。図７および図９を参照して、図１中の空気清浄機１００がタイマーＳＷの自動ＯＮ機能を備える場合の制御流れについて説明する。
【００７０】
この場合、制御部７７は、ハンガーＳＷ７６が枠部６１の近接を検知せず、ハンガー部６０が使用状態にあると判断したら、タイマー部８２を作動させる。制御部７７は、タイマー部８２からの信号を受けて設定時間が修了したと判断したら、報知部８３を作動させるとともに、モータ２８およびイオン発生装置４０，４６の運転を停止させる。
【００７１】
空気清浄機１００がこのようなタイマーＳＷの自動ＯＮ機能を備える場合、ユーザは、タイマーＳＷの操作を行なうことなく、予め設定した時間が経過した後に、除菌運転を停止させることができる。
【００７２】
このように構成された、この発明の実施の形態２における空気清浄機１００によれば、実施の形態１に記載の効果を同様に奏することができる。加えて、イオンＳＷの自動ＯＮ機能もしくはタイマーＳＷの自動ＯＮ機能によって、空気清浄機１００の使い勝手を向上させることができる。
【００７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７４】
１０  本体部、１１  ハウジング、１１ａ  後壁、１１ｂ  天壁、１１ｃ  底壁、１１ｄ  前壁、１２  操作部、１４  吹き出し口、１６  吸い込み口、１８  フィルタ、２６  ダクト、２６ｄ  前壁、２８  モータ、３１  送風機、３２  ケーシング、３２ａ  誘導壁、３２ｂ  吹き出し部、３３  ケーシング本体、３４  蓋板、３６  羽根車、３６ｆ  羽根、４０，４６  イオン発生装置、４１，４１ｐ，４１ｑ，４１ｒ  イオン発生器、４２ｍ，４２ｎ  イオン発生部、４３  開口、４４  保持体、６０  ハンガー部、６１  枠部、６２  脚部、７１  溝部、７２  挿入孔、７６  ハンガーＳＷ、７７  制御部、８１  表示部、８２  タイマー部、８３  報知部、８４  アラーム部、１００  空気清浄機。
【図１】
2011010991.tif 000003
【図２】
2011010991.tif 000004
【図３】
2011010991.tif 000005
【図４】
2011010991.tif 000006
【図５】
2011010991.tif 000007
【図６】
2011010991.tif 000008
【図７】
2011010991.tif 000009
【図８】
2011010991.tif 000010
【図９】
2011010991.tif 000011